(57)【要約】【課題】電子基板を内包する基板ケースの不正開放を防止して、電子基板に対する不正行為を効果的に予防することができる電子基板ユニット及び遊技機を提供すること。【解決手段】この電子基板ユニットＵ１は、協働して電子基板を内包する第１基板ケース３５ａ及び第２基板ケース３５ｂと、第１基板ケース３５ａと第２基板ケース３５ｂとを結合する結合部材と、第１基板ケース３５ａに固定される情報部材４１と、閉状態から開状態となる際に情報部材４１と接触することによりリーダによる情報部の情報を実質的に読み取り不可能とする破壊部４２ｂと、を備える。【選択図】図１３
2011156097.tif 000002
【特許請求の範囲】
【請求項１】
電子基板を封入し該電子基板へのアクセスを阻止する閉状態と該電子基板へのアクセスを可能とする開状態とを実現し、協働して該電子基板を内包する第１基板ケース及び第２基板ケースと、
該閉状態の該第１基板ケースと該第２基板ケースとを結合する結合部材と、
該第１基板ケースに固定され、リーダによって読み取り可能な情報部を含む情報部材と、
前記閉状態から前記開状態となる際に、該情報部材と接触することにより前記リーダによる前記情報部の情報を実質的に読み取り不可能とする破壊部と、を備える、電子基板ユニット。
【請求項２】
前記破壊部は、前記情報部材が固定された状態の前記第１基板ケースに対して取り付けられる第１係止部材に形成されており、
該第１係止部材は、前記開状態において該第１基板ケースに対して取り付けられ、該第１基板ケースと前記第２基板ケースが閉状態を実現することにより該第２基板ケースに対して係止され、かつ前記閉状態から前記開状態となる際に前記第２基板ケースに係止した係止状態を維持して前記情報部材と接触するように構成されている、請求項１に記載の電子基板ユニット。
【請求項３】
前記破壊部は、前記結合部材によって前記第１基板ケースと結合された状態の前記第２基板ケースに対して係止される第２係止部材に形成されており、
該第２係止部材は、前記閉状態から前記開状態となる際に前記第２基板ケースに係止した係止状態を維持して前記情報部材と接触するように構成されている、請求項１に記載の電子基板ユニット。
【請求項４】
前記破壊部は、前記第２基板ケースに形成された突起部である、請求項１に記載の電子基板ユニット。
【請求項５】
前記突起部は、前記情報部材側に突出して形成されており、前記開状態から前記閉状態になる際には、前記情報部から離間する方向に弾性変形して前記情報部材と接触せず、該閉状態から該開状態になる際には、該弾性変形が解除されて該情報部材と接触するように構成されている、請求項４に記載の電子基板ユニット
【請求項６】
遊技を実現する遊技装置体と、
該遊技装置体を内包する遊技機枠と、
上記請求項１から請求項５のいずれかに記載の電子基板ユニットと、を有する遊技機であって、
前記電子基板ユニットは、前記遊技装置体又は前記遊技機枠に対して着脱自在に設けられている、遊技機。
【発明の詳細な説明】
【技術分野】
【０００１】
本発明は、電子基板を内包する基板ケースを有する電子基板ユニット及び遊技機に係り、特に基板ケースに内包された電子基板に対する不正行為を予防することのできる電子基板ユニット等に関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機においては、年々遊技の態様や演出が複雑化・多様化してきており、それに伴い遊技機の動作や演出を制御するための電子基板の構造や機能も複雑化・多様化してきている。このような電子基板に対して不正な破壊や改造が行われると、遊技が適正に行われなかったり、一部の不正な遊技者に対して不当な利益が付与されてしまったりするおそれがある。そのため、この電子基板及びその周囲構造に対しては、外部からのアクセスが困難となるような工夫が為される必要がある。
【０００４】
例えば特許文献１には、複数の基板ケースによって電子基板を内包した基板ケースを備え、この複数の基板ケースの境界を跨ぐようにシールを貼付した遊技機が記載されている。このシールは、識別情報を格納したＩＣチップと読取体に対して識別情報を送信するアンテナとを有する。この遊技機は、基板ケースを分離するためにシールを剥がすとアンテナが破壊し、読取体によって情報を読み取ることができなくなる。よって、外部から不正なアクセスがあった場合の履歴を把握することができる。
【０００５】
また、例えば特許文献２には、ＩＣチップとアンテナを内蔵したテープ型のインレットを、２つの基板ケースの境界を跨ぐように貼着し、その両端にシール部材を各々に貼着した遊技機が記載されている。このテープ型のインレットとシール部材は、貼着成分が異なっており、１の薬品によりテープ型インレットの貼着力を無効としても、シール部材を剥がすことが不可能となるように構成されている。したがって、結果としてテープ型インレットを切断することなく基板ケースを開放することができない効果を得ることができる。また、テープ型インレットを切断すると、ＩＣチップに内蔵された情報が読み取り不可能となり、外部から不正なアクセスがあった場合の履歴を把握することができる。
【先行技術文献】
【特許文献】
【０００６】
【特許文献１】特開２００６−３０５０３７号公報
【特許文献２】特開２００８−３６２２８号公報
【発明の概要】
【発明が解決しようとする課題】
【０００７】
しかしながら、特許文献１に記載の遊技機は、シールが剥がされてアンテナが破壊された場合には、ＩＣチップに格納された情報が読み取り不可能となるが、シールが剥がされてもアンテナが破壊されない場合には、ＩＣチップに格納された情報が読み取り可能となり、確実に不正アクセスがあった場合の痕跡を残すことができないおそれがあった。また、不正に剥がされたシールが再利用されると、更なる被害が拡大するおそれがあった。
【０００８】
また、特許文献２に記載の遊技機は、複数の薬品によってテープ型インレットのアンテナを切断することなく剥がした場合は、ＩＣチップの情報を読み取ることができ、確実に不正アクセスがあった場合の痕跡を残すことができないおそれがあった。
【０００９】
本発明は、上記の事情に鑑みて為されたもので、電子基板に対する不正行為を効果的に予防しつつ、そのような不正行為が行われた際により確実にその痕跡を確認することができて、不正行為の予防及び早期発見に寄与することのできる電子基板ユニット及び遊技機を提供することを例示的課題とする。
【課題を解決するための手段】
【００１０】
上記の課題を解決するために、本発明の例示的側面としての電子基板ユニットは、電子基板を封入し電子基板へのアクセスを阻止する閉状態と電子基板へのアクセスを可能とする開状態とを実現し、協働して電子基板を内包する第１基板ケース及び第２基板ケースと、閉状態の第１基板ケースと第２基板ケースとを結合する結合部材と、第１基板ケースに固定され、リーダによって読み取り可能な情報部を含む情報部材と、閉状態から開状態となる際に情報部材と接触することによりリーダによる情報部の情報を実質的に読み取り不可能とする破壊部と、を備える。
【００１１】
協働して電子基板を内包する第１基板ケース及び第２基板ケースは、内包した電子基板へのアクセスを可能とする開状態と、電子基板へのアクセスを阻止する閉状態と、を実現する。閉状態においては、結合部材によって第１基板ケースと第２基板ケースとが結合されており、内包される電子基板への不正アクセスを防止することができる。一方、結合部材による結合が解除されることにより、開状態となって外部から電子基板へのアクセスが可能となる。
【００１２】
また、第１基板ケースには情報部材が固定されており、情報部材には、リーダによって読み取り可能な情報部が含まれている。この情報部材は、閉状態から開状態となる際に破壊部と接触するように構成されており、この接触によってリーダによる情報の読み取りが実質的に不可能になるように構成されている。したがって、基板ケースに内包された電子基板にアクセスするために、第１基板ケースと第２基板ケースとを閉状態から開状態としようすると、接触部が情報部材と接触してリーダによる情報の読み取りが実質的に不可能となる。よって、電子基板への不正アクセスの際に、情報部材にその不正アクセスの痕跡が残存することとなる。
【００１３】
ここにおいて、情報部は、リーダによって読み取り可能な情報を有するものであればよく、例えば、ＲＦＩＤ（Ｒａｄｉｏ  Ｆｒｅｑｕｅｎｃｙ  Ｉｄｅｎｔｉｆｉｃａｔｉｏｎ）に用いるＲＦタグ（ＩＣチップを含む）を例示できる。また、電波によって情報を送信するタグにあっては、タグそのものだけでなく、情報を送信するためのアンテナも含む概念である。また、情報部は、電波によって情報を送信するタグだけでなく、リーダによって読み取り可能な情報を含むものであればよく、例えばバーコードが印刷されたシートを例示できる。
【００１４】
なお、情報部が実質的に読み取り不可能な状態とは、情報部が技術的に読み取り不可能な状態のみならず、通常の使用状態では読み取れないが、通常とは異なる使用状態においては読み取れる状態も含む概念である。ここでいう通常とは異なる使用状態とは、例えば、リーダの感度を飛躍的に向上させることによってのみ読み取り可能な状態や、リーダと情報部との距離を通常の使用状態より近接させることによってのみ読み取り可能な状態である。
【００１５】
また、情報部材は、第１基板ケースに固定可能に構成されていればよく、情報部材の「固定」は、接着剤や粘着剤による貼付のみならず、カシメ、フック等による不可逆的な係合や係止、ネジ等による不可逆的な螺合を含む概念である。また、情報部材としては、典型的には所謂シールであるが、もちろんシールに限られず、例えば金属部材、樹脂部材等を概念することができる。また、シールにおいてもその素材は、紙であっても樹脂フィルムであってもよい。
【００１６】
また、破壊部が情報部材と接触した結果、リーダによる情報部の情報が実質的に読み取り不可能な状態とは、情報部材の情報部が壊されたり、裂けたり、傷ついたり、押し潰されたりした状態であり、必ずしも分裂した状態を意味するものではなく、接触したことにより情報の読み取りが実質的に不可能となるあらゆる状態を含むものである。
【００１７】
更に、閉状態から開状態となる際には、第１基板ケース及び第２基板ケースのうち少なくともいずれか一方を移動することによって閉状態から開状態となればよく、第１基板ケースを第２基板ケースに対して移動することにより開状態と閉状態とが実現するように構成してもよいし、第２基板ケースを第１基板ケースに対して移動することにより開状態と閉状態とが実現するように構成してもよい。
【００１８】
なお、第１基板ケースと第２基板ケースとの閉状態とは、第１基板ケースと第２基板ケースとによって内部空間が封止された状態であり、第１基板ケースと第２基板ケースに内包された電子基板に外部からアクセスできない状態である。
【００１９】
また、破壊部は、情報部材が固定された状態の第１基板ケースに対して取り付けられる第１係止部材に形成されており、第１係止部材は、開状態において第１基板ケースに対して取り付けられ、第１基板ケースと第２基板ケースが閉状態を実現することにより第２基板ケースに対して係止され、かつ閉状態から開状態となる際に第２基板ケースに係止した係止状態を維持して情報部材と接触するように構成されていてもよい。
【００２０】
このような構成によれば、開状態において第１係止部材を第１基板ケースに装着して閉状態とすることにより、その後に開状態となる際に情報部材の情報部を破壊部によって破壊して、第１基板ケースと第２基板ケースが開状態となり電子基板にアクセスされた痕跡を残存させることができる。
【００２１】
なお、第１係止部材の具体的な構成としては、情報部材と接触可能な突起部と、第２基板ケースと係合可能な係合部と、を備え、係合部は、押圧されることにより弾性変形可能であって、弾性変形することにより第２基板ケースに設けられた凹部に挿入可能な爪部を有する構成を例示できる。
【００２２】
開状態において情報部材と突起部とが近接するように第１係止部材を第１基板ケースに載置する。そして、開状態から閉状態とする際に、第２基板ケースによって係合部を押圧し、弾性変形させつつ第２基板ケースの凹部に爪部を挿入させる。爪部が凹部内に収容されることによって弾性変形が解除されるようにして、第２基板ケースに爪部を係止させる。爪部を凹部に係止させることにより、閉状態から開状態となる際に第２基板ケースと共に第１係止部材を第１基板ケースに対して相対移動させて、突起部によって情報部材を破壊することができる。
【００２３】
また、破壊部は、結合部材によって第１基板ケースと結合された状態の第２基板ケースに対して係止される第２係止部材に形成されており、第２係止部材は、閉状態から開状態となる際に第２基板ケースに係止した係止状態を維持して情報部材と接触するように構成されていてもよい。
【００２４】
このような構成によれば、閉状態において第２係止部材を第２基板ケースに装着することにより、その後に開状態となる際に情報部材の情報部を破壊部によって破壊して、第１基板ケースと第２基板ケースが開状態となり電子基板にアクセスされた痕跡を残存させることができる。
【００２５】
具体的な構成としては、情報部材と接触可能な突起部を第２係止部材に設け、第２基板ケースに第２係止部材が挿入される穴部を形成する構成を例示できる。結合部材によって結合された閉状態において第２基板ケースに第２係止部材を装着することにより、突起部と情報部材とが対向した状態となるように構成する。この閉状態から開状態となる際には、第２係止部材が第２基板ケースに係止された状態が維持され、第１基板ケースと第２基板ケースとの相対移動に伴って突起部が情報部材を破壊する。
【００２６】
また、第２係止部材は、閉状態における第２基板ケースに装着されるように構成されており、装着された後に第２基板ケースから取り外されてしまうと、不正に基板ケースが開放された際に不正アクセスの痕跡を残存させることができないおそれがある。そのような不具合を防止するために、第２係止部材が第２基板ケースから取り外されないように第２係止部材の係止状態を維持する固定部材を更に設けることが望ましい。
【００２７】
固定部材は、第２基板ケースに装着された第２係止部材が取り外されることを防ぐように構成されていればよく、例えば第２係止部材がビスであって、第２基板ケースに形成された穴部にビスを挿入する構成においては、挿入したビスの頭部及び穴部を固定部材によって覆う構成を例示できる。
【００２８】
また、破壊部は、第２基板ケースに形成された突起部であってもよい。破壊部を第２基板ケースに設けることにより、第１基板ケースと第２基板ケースとが相対移動して閉状態から開状態となる際に、第２基板ケースと共に破壊部を第１基板ケースに対して相対移動させて、破壊部と情報部材とを接触させるように構成することができる。また、破壊部と第２基板ケースとを一体化して設けることにより、破壊部と第２基板ケースとを別個に設ける構成と比較して、部品点数を減らすことができ、製造工程の短縮化及びコストの縮減を図ることができる。
【００２９】
突起部は、情報部材側に突出して形成されており、開状態から閉状態になる際には、情報部から離間する方向に弾性変形して情報部材と接触せず、閉状態から開状態になる際には、弾性変形が解除されて情報部材と接触するように構成されていてもよい。
【００３０】
このような構成によれば、開状態から閉状態となる際に破壊部と情報部材とが接触するのを防ぐ一方、閉状態から開状態となる際に破壊部と情報部材とを接触させて、第１基板ケースと第２基板ケースが開状態となり電子基板にアクセスされた痕跡を残存させることができる。
【００３１】
なお、接触部が情報部から離間するような弾性変形とは、第１基板ケースと第２基板ケースとを相対移動して閉状態とする作業者が外力を加えることによる変形であってもよいし、開状態から閉状態となる際の破壊部の移動軌跡と閉状態から開状態となる際の破壊部の移動軌跡とを異ならせ、開状態から閉状態となる際の移動軌跡に破壊部を弾性変形する突起等を設け、この突起等によって弾性変形するように構成してもよい。更に、弾性変形は、破壊部全体が弾性変形するように構成してもよいし、破壊部の一部のみが弾性変形するように構成してもよい。
【００３２】
情報部は、リーダによって読み取り可能な情報が埋め込まれたＲＦタグと、ＲＦタグのアンテナ部と、を有しており、破壊部は、ＲＦタグとアンテナ部のうち少なくともアンテナ部と接触することによってＲＦタグの情報が実質的に読み取り不可能となるように構成されていてもよい。
【００３３】
閉状態から開状態となる際に破壊部が情報部材と接触しアンテナ部を破損又は破壊するように構成されているため、外部から電子基板にアクセスするために基板ケースを分離しようとすると、ＲＦタグの情報が実質的に読み取り不可能となる。通常、ＲＦタグは、情報を格納しており、比較的強度が高い。一方、アンテナ部は、電波を送信できればよく、ＲＦタグと比較して脆弱であることが多い。接触部によってアンテナ部を破損又は破壊するように構成することにより、基板ケースが開状態となり電子基板にアクセスされた際に、より確実にアンテナ部を破壊又は破損することができ、不正アクセスの痕跡を残すことが可能となる。
【００３４】
また、本発明の他の例示的な側面としての遊技機は、遊技を実現する遊技装置体と、遊技装置体を内包する遊技機枠と、上記に記載の電子基板ユニットと、を有する遊技機であって、電子基板ユニットは、遊技装置体又は遊技機枠に対して着脱自在に設けられている。
【００３５】
この遊技機によれば、上記の電子基板ユニットを有しているので、この遊技機の電子基板に不正行為者が不正アクセスするのを有効に予防することができる。更に、万一不正アクセスがされた場合であっても、その痕跡が発見容易とされている。したがって、この遊技機は、不正行為者による不正行為を排除し、一般遊技者による安全かつ安心な遊技に資することができる。
【００３６】
なお、遊技装置体とは、遊技機における遊技を実現するものであり、例えば、パチンコ遊技機であれば、遊技媒体の流下による遊技を実現する遊技盤、スロットマシンであれば、絵柄の組合せによる遊技を実現するリールを例示できる。また、制御基板ケースは、遊技装置体又は遊技機枠に対して装着できる構成であればよく、遊技装置体又は遊技機枠に対して直接装着できる構成であってもよいし、遊技装置体又は遊技機枠との間に部材が配置され、遊技装置体又は遊技機枠に対して間接的に装着できる構成であってもよい。
【００３７】
また、遊技機枠とは、遊技装置体を内包する枠部材又は枠部材の集合体であって、遊技装置体の側方や前方を囲むためのものである。例えば、遊技機がパチンコ遊技機である場合には、遊技装置体としての遊技盤を内包する外枠、機枠又は前面枠若しくはこれらの組合せ等が遊技機枠に該当し、遊技機がスロットマシンである場合には、遊技装置体としてのリール（回胴装置）を内包するキャビネット（外枠及び／又は前面枠）が遊技機枠に該当する。もちろん、パチンコ遊技機やスロットマシン以外の遊技機においても、それら遊技機における遊技を実現する遊技装置体（例えば、コインゲーム機における遊技盤やアーケードマシンにおけるゲーム画像表示装置等）を内包する枠部材等がこの遊技機枠に該当する。
【００３８】
なお、本発明において基板ケースは、電子基板を内包する全体としてのケースをいう場合と、全体のケースを構成する複数のケース部材１つ１つをいう場合とがある。例えば、協働して電子基板を内包する複数の基板ケースという場合の基板ケースは、全体としての基板ケースを構成するケース部材をいう。そのケース部材が複数協働して全体としてひとまとまりとなったケースを基板ケースという場合もあり、その基板ケースが電子基板を内包する。
【００３９】
本発明の更なる目的又はその他の特徴は、以下添付図面を参照して説明される好ましい実施の形態によって明らかにされるであろう。
【発明の効果】
【００４０】
本発明によれば、電子基板を内包する第１基板ケースと第２基板ケースとを閉状態から開状態とすることにより、第１基板ケースに固定された情報部材が破壊部と接触して情報部が実質的に読み取り不可能となるため、不正アクセスの痕跡を確実に残すことができる。したがって、電子基板に対する不正行為を効果的に予防しつつ、そのような不正行為が行われた際に簡便かつ確実にその痕跡を確認することができて、不正行為の予防及び早期発見に寄与することができる。
【図面の簡単な説明】
【００４１】
【図１】本発明の実施の形態１に係るパチンコ機の正面図である。
【図２】図１に示すパチンコ機の背面図である。
【図３】実施の形態１に係る主制御基板ユニットの背面図である。
【図４】図３に示す主制御基板ユニットを左後方から視認した状態の分解斜視図である。
【図５】図３に示す主制御基板ユニットを右前方から視認した状態の分解斜視図である。
【図６】シール部材の表面及び裏面を示す模式平面図である。
【図７】開状態の主制御基板ユニットの不正開放検出構造を模式的に示した図であり、シール部材を本体ケースに貼付する前の状態を示している。（ａ）は背面図であり、（ｂ）は右後方から視認した斜視図である。
【図８】開状態の主制御基板ユニットの不正開放検出構造を模式的に示した図であり、保護カバーを本体ケースに載置する前の状態を示している。（ａ）は背面図であり、（ｂ）は右後方から視認した斜視図である。
【図９】開状態の主制御基板ユニットの不正開放検出構造を模式的に示した図であり、蓋ケースを本体ケースに対してスライド移動する前の状態を示している。（ａ）は背面図であり、（ｂ）は右後方から視認した斜視図である。
【図１０】閉状態の主制御基板ユニットの不正開放検出構造を模式的に示した図である。（ａ）は背面図であり、（ｂ）は右後方から視認した斜視図である。
【図１１】閉状態から開状態となる過程の主制御基板ユニットの不正開放検出構造を模式的に示した図である。（ａ）は背面図であり、（ｂ）は右後方から視認した斜視図である。
【図１２】図９に示す断面図である。（ａ）はＡ−Ａ断面であり、（ｂ）はＢ−Ｂ断面である。
【図１３】図１０に示す断面図である。（ａ）はＣ−Ｃ断面であり、（ｂ）はＤ−Ｄ断面である。
【図１４】変形例に係る主制御基板ユニットの模式断面図である。
【図１５】図１４に示す部分拡大図である。
【図１６】実施の形態２に係る主制御基板ユニットの不正開放検出構造を模式的に示した分解斜視図である。
【図１７】主制御基板ユニットの開閉態様を模式的に示した背面図である。
【図１８】主制御基板ユニットの開閉態様を模式的に示した斜視図である。
【図１９】図１７に示すＥ−Ｅ断面図及びＦ−Ｆ断面図である。
【図２０】実施の形態３に係る主制御基板ユニット不正開放検出構造を模式的に示した分解斜視図である。
【図２１】実施の形態３に係る主制御基板ユニットの模式断面図である。
【発明を実施するための形態】
【００４２】
＜実施の形態１＞
以下、本発明の実施の形態１について図面を用いて説明する。図１は、本発明の実施の形態１に係る遊技機としてのパチンコ機２の正面図である。図２は、図１に示すパチンコ機２の背面図である。このパチンコ機２は、遊技機枠３、遊技盤（遊技装置体）６、ガラス１０、発射ユニット（不図示）、球皿１４を有し、遊技盤６には、遊技球２３の流下による遊技を実現するための遊技領域１６が形成されている。また、遊技盤６の裏面側には、主制御基板ユニット（電子基板ユニット）Ｕ１（図２参照）が取り付けられているが、詳細は後述する。
【００４３】
パチンコ機２は、遊技者が後述する発射装置ハンドル１５を操作することによって、遊技領域１６に向けて遊技球が発射ユニットによって発射され、遊技球２３の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）を実現するいわゆる１種タイプのパチンコ機について例示説明する。なお、図柄変動遊技については後述する。
【００４４】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００４５】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００４６】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００４７】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００４８】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００４９】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００５０】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００５１】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００５２】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されると共に、センター役物７の中央部には、演出表示装置７ａが配置されている。
【００５３】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００５４】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄７ｃの表示がなされる。第１装飾図柄７ｃは、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００５５】
遊技盤６の裏面側には、パチンコ機２の全体の制御を行う主制御基板３４を収容した主制御基板ケース３５と、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００５６】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出契機となり、あるものはいずれの入球装置にも流入せずに遊技領域１６内最下部に位置するアウト口３０に流入してアウト球としてパチンコ機２の外部側へと排出される。
【００５７】
図柄変動遊技中に遊技球２３が始動入賞口２９に流入すると、その流入に起因して演出表示装置７ａの第１装飾図柄７ｃが回転表示（第１の特別遊技の抽選）を開始し、その第１装飾図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００５８】
次いで、実施の形態１に係る主制御基板ユニットＵ１について、図３から図１３に基づいて詳細に説明する。以下の説明における上下及び前後左右の方向は、遊技者からパチンコ機２を見た際の方向に基づいて定義しており、図中に適宜図示する。なお、本実施の形態１では、主制御基板ケース３５を有する主制御基板ユニットＵ１について例示して説明するが、本発明に係る電子基板ユニットは、他の制御基板ケースを有して構成されていてもよい。
【００５９】
図３は、主制御基板ユニットＵ１の背面図であり、図４及び図５は、主制御基板ユニットＵ１の分解斜視図である。図４は、左後方から視認した状態の分解斜視図であり、図５は、右前方から視認した状態の分解斜視図である。主制御基板ユニットＵ１は、主制御基板３４と、主制御基板３４を内包する主制御基板ケース３５と、情報部材としてのシール部材４１と、第１係止部材としての保護カバー４２と、を有して構成されている。
【００６０】
主制御基板ケース３５は、遊技盤６の裏面側に着脱自在に固定される本体ケース（第１基板ケース）３５ａと、本体ケース３５ａに対して着脱自在に固定される蓋ケース（第２基板ケース）３５ｂとの２つの基板ケースを有し、これら両者が協働して主制御基板３４を内包するようになっている。主制御基板３４は、蓋ケース３５ｂの内面側に形成された開口部に固定されて、蓋ケース３５ｂと本体ケース３５ａとが係合することにより、主制御基板ケース３５の内部に収容されるようになっている。この収容された状態では、主制御基板３４に対して外部から接触することはできない。
【００６１】
主制御基板３４の表面（ここでいう表面は、前面側である場合と後面側である場合とを含む。）には、ＲＯＭ、ＲＡＭ、ＣＰＵ等の電子デバイス、接続コネクタ等を含む電子部品３４ｂが実装されている。主制御基板３４の周囲には、固定部としての固定穴３４ａが形成されている。主制御基板３４の後側から固定穴３４ａに固定ネジを挿入して、この固定ネジと蓋ケース３５ｂのネジ穴とをネジ止めすることにより、主制御基板３４が蓋ケース３５ｂ内に固定されるようになっている。
【００６２】
主制御基板ケース３５の下側部には、本体ケース３５ａと蓋ケース３５ｂとを互いに係合させるためのスライド係合部が設けられている。スライド係合部は、本体ケース３５ａの下側壁面に沿ったスライド軸部３５ｄと、このスライド軸部３５ｄに係止されるスライド軸受部３５ｅとを有して構成される。スライド軸部３５ｄは本体ケース３５ａに形成され、スライド軸受部３５ｅは蓋ケース３５ｂに形成されている。蓋ケース３５ｂは本体ケース３５ａに対して左右方向にスライド移動可能に構成されており、蓋ケース３５ｂを本体ケース３５ａに対してスライド移動することより、主制御基板ケース３５の開口部を開放した開状態と閉鎖した閉状態とを実現する。
【００６３】
主制御基板ケース３５の上側部には、痕跡残留部及び結合部材としての封止部が形成されている。封止部は、主制御基板ケース３５の上側部において、本体ケース３５ａの左側壁面に対して突出して形成された本体カシメ部３５ｆと、蓋ケース３５ｂに連結部材３５ｈを介して接続された蓋カシメ部３５ｋと、本体カシメ部３５ｆと蓋カシメ部３５ｋとの間に収容可能な封止片３５ｍと、からなる。
【００６４】
封止片３５ｍは、「ロック」の文字が印字された表面が前方に位置する第一状態又は表面が後方に位置する第二状態で各カシメ部に収容される。本体カシメ部３５ｆ内に封止片３５ｍを第一状態で配置して主制御基板ケース３５を閉状態とすると、封止片３５ｍは本体カシメ部３５ｆ及び蓋カシメ部３５ｋと嵌合して、主制御基板ケース３５の閉状態が保持される封止状態となる。一方、本体カシメ部３５ｆに封止片３５ｍを第二状態で配置して基板ケースを閉状態とすると、封止片３５ｍは本体カシメ部３５ｆ及び蓋カシメ部３５ｋと嵌合せず、主制御基板ケース３５の閉状態は保持されない。
【００６５】
したがって、主制御基板ケース３５を閉状態で封止する際には、いずれかの封止片３５ｍを第一状態として各カシメ部に配置し、他の封止片３５ｍを第二状態として各カシメ部に配置して、主制御基板ケース３５を閉状態とする。これにより、主制御基板ケース３５は、封止状態となる。
【００６６】
このような封止部によって主制御基板ケース３５を封止することにより、封止状態を解除することは困難であり、主制御基板ケース３５を開封するためには、第一状態の封止片３５ｍを収容した蓋カシメ部３５ｋと連結された連結部材３５ｈを切断して、この蓋カシメ部３５ｋを蓋ケース３５ｂから切り離すことが必要である。したがって、主制御基板ケース３５を開封した後は、連結部材３５ｈを切断した痕跡が残り、主制御基板ケース３５が不正に開放されたことを検出することができる。
【００６７】
しかし、連結部材３５ｈを切断した痕跡は、主制御基板ケース３５を視認しなければ検出できず、主制御基板ケース３５が不正に開放されたことを早期に発見できないおそれがある。この対策として、本実施の形態１に係る主制御基板ユニットＵ１は、封止部と合わせて不正開放検出構造を備えている。
【００６８】
不正開放検出構造は、不正行為者による主制御基板ケース３５の不正開放を予防し、また、万一不正に開放された際に、その不正開放の痕跡を残存させるためのものである。不正開放検出構造は、主制御基板ユニットＵ１の右側部に設けられており、本体ケース３５ａに貼付される情報部材としてのシール部材４１と、シール部材４１を覆う保護カバー４２と、シール部材４１が貼付される本体ケース３５ａと、保護カバー４２と係止する蓋ケース３５ｂと、から構成される。
【００６９】
シール部材４１は、リーダによって読み取り可能な情報を有する情報部を含んでいる。図６は、シール部材４１の表面及び裏面を模式的に示した図である。シール部材４１は、長方形のシールであり、表面には識別情報としてのシリアル番号４１ａが印刷されている。シール部材４１の裏面には、シリアル番号４１ａ等個々の遊技機を特定するための情報を格納したＲＦタグとしてのＩＣチップ（情報部）４１ｂと、ＩＣチップ４１ｂの情報を電波によって送信するためのアンテナ部（情報部）４１ｃと、が貼付されている。ＩＣチップ４１ｂは、シール部材４１の略中央に配置されており、アンテナ部４１ｃは対角線に沿って配置されている。
【００７０】
ＩＣチップ４１ｂに格納された情報は、アンテナ部４１ｃが電波によって送信可能に構成されており、図示しないリーダを用いて情報を読み取ることが可能である。アンテナ部には、電波によって情報を送信するためのループを構成するためのスリットが設けられており、このスリットの近傍に切り欠き部４１ｄが形成されている。切り欠き部４１ｄが形成されていることにより、シール部材４１が剥がされたりシール部材４１に外部から力が加えられたりした際にアンテナ部４１ｃが破損し、電波による情報送信が不可能な状態となる。
【００７１】
本体ケース３５ａには、シール部材４１が貼付される貼付面３５ｐが設けられている。貼付面３５ｐは、本体ケース３５ａの右端部における後面と右側面とに跨っている。貼付面３５ｐの左側方には、破壊部としての破壊爪部４２ｂを収納するための破壊爪収納部３５ｒが形成されており、貼付面３５ｐには、破壊爪部４２ｂの移動空間となるスリット部３５ｎが左右方向に延びて形成されている。破壊爪収納部３５ｒ及びスリット部３５ｎは、いずれも貼付面３５ｐよりも凹んで形成されている。また、本体ケース３５ａの右側壁には、保護カバー４２の上端と下端に設けられたガイド凸部４２ｔが挿入され、保護カバー４２の左右方向の移動に際してガイドとなるガイド凹部３５ｓが形成されている。
【００７２】
保護カバー４２は、シール部材４１が貼付された状態の本体ケース３５ａに載置されるように構成されている。保護カバー４２には、蓋ケース３５ｂに形成された係止凹部３５ｑに挿入する係止爪部４２ａと、破壊部としての破壊爪部４２ｂと、ガイド凸部４２ｔと、が設けられている。係止爪部４２ａは、後方に向かって突出形成されており、破壊爪部４２ｂは、前方に向かって突出形成されている。ガイド凸部４２ｔは、保護カバー４２の上端と下端において前方に向かって突出形成されている。
【００７３】
なお、本体ケース３５ａの貼付面３５ｐにシール部材４１が貼り付けられていない状態では、本体ケース３５ａのガイド凹部３５ｓと保護カバー４２のガイド凸部４２ｔとが整合した状態で保護カバー４２と本体ケース３５ａとが左右方向に相対移動可能に構成されている。
【００７４】
保護カバー４１が本体ケース３５ａに載置された状態において、本体ケース３５ａに対して蓋ケース３５ｂを閉じる状態となることにより（主制御基板ケース３５が開状態から閉状態となることにより）、係止爪部４２ａが係止凹部３５ｑに係止して、保護カバー４２が蓋ケース３５ｂと共に移動するように構成されている。
【００７５】
開状態においてシール部材４１が貼り付けられた状態の本体ケース３５ａに保護カバー４２が載置されると、保護カバー４２の破壊爪部４２ｂは、貼付面３５ｐ及びシール部材４１の左側方に形成された破壊爪収納部３５ｒ内に収納され、破壊爪部４２ｂとシール部材４１とは接しない。一方、蓋ケース３５ｂが本体ケース３５ａに対して閉じた状態から開放した状態となる際（主制御基板ケース３５が閉状態から開状態となる際）には、破壊爪部４２ｂは蓋ケース３５ｂと共に右方向に移動し、スリット部３５ｎ内を右方向に移動してシール部材４１を破く。破壊爪部４２ｂがシール部材４１を破ることにより、リーダによるＩＣチップ４１ｂの情報の読み取りが実質的に不可能となる。
【００７６】
次いで、このように構成された主制御基板ユニットＵ１における不正開放検出態様について詳細に説明する。図７から図１１は、主制御基板ユニットＵ１の不正開放検出構造を部分的に拡大して示しており、各図面における（ａ）は背面図であって、（ｂ）は斜視図である。また、図１２及び図１３は、図１０及び図１１に図示する方向における断面図である。図１２（ａ）は図１０に示すＡ−Ａ断面図であり、図１２（ｂ）は図１０に示すＢ−Ｂ断面図である。図１３（ａ）は図１１に示すＣ−Ｃ断面図であり、図１３（ｂ）は図１１に示すＤ−Ｄ断面図である。なお、図７から図１１は、いずれも図示する方向は同様であり、図７のみ方向を示して他の図については方向を省略する。また、図１０から図１３においては、説明の便宜上、蓋ケース３５ｂに関しては、保護カバーを覆う部分等、不正開放検出構造を構成する部分のみ示し、他の部分については省略して示す。
【００７７】
図７は、開状態の主制御基板ユニットＵ１を示しており、シール部材４１を本体ケース３５ａに貼付する前の状態を示している。図７に示す状態において本体ケース３５ａの貼付面３５ｐにシール部材４１を貼り付けると、図８に示す状態となる。シール部材４１を本体ケース３５ａに貼付した状態では、シール部材４１によってスリット部３５ｎが覆われている。しかし、スリット部３５ｎは、貼付面３５ｐより凹んでいるため、シール部材４１とは接触しておらず、スリット部３５ｎと対向する位置においてシール部材４１は、本体ケース３５ａに対して浮いている。
【００７８】
図８に示す状態において保護カバー４２を本体ケース３５ａに載置すると、図９に示す状態となる。保護カバー４２は、シール部材４１の後面を覆うように配置されており、破壊爪部４２ｂは、破壊爪収納部３５ｒに収納されている。そして、図９に示す状態において蓋ケース３５ｂを左方向に移動すると、本体ケース３５ａと蓋ケース３５ｂとによって主制御基板３４を内包した閉状態となる。この閉状態では、内部に収容されたシール部材４１、保護カバー４２及び主制御基板３４への外部からのアクセスは不可能である。
【００７９】
図１０及び図１２は、閉状態の主制御基板ユニットＵ１を示しており、閉状態では保護カバー４２の係止爪部４２ａが蓋ケース３５ｂの係止凹部３５ｑに挿入しており、保護カバー４２の破壊爪部４２ｂは、破壊爪収納部３５ｒに収容されている。この閉状態においては、破壊爪部４２ｂとシール部材４１とは接触していない。
【００８０】
閉状態となった後に、主制御基板ケース３５を開放しようとして蓋ケース３５ｂを右方向に移動すると、蓋ケース３５ｂと保護カバー４２とが共に右方向に移動して、図１１及び図１３に示す状態となる。保護カバー４２が右方向に移動することにより、破壊爪部４２ｂがシール部材４１と接触しつつスリット部３５ｎ内を右方向に移動し、シール部材４１が破壊爪部４２ｂによって破かれる。したがって、リーダによるシール部材４１のＩＣチップ４１ｂの情報の読み取りが実質的に不可能となる。
【００８１】
以上のように、実施の形態１に係る主制御基板ユニットＵ１によれば、主制御基板３４への不正アクセスのために主制御基板ケース３５を閉状態から開状態にしようとすると、シール部材４１が破損又は破壊して、ＩＣチップ４１ｂの情報が読み取り不可能な状態となる。したがって、もし本体ケース３５ａと蓋ケース３５ｂとが分離された場合は、シール部材４１が破損又は破壊され、必ずその痕跡が残存するようになっている。更に、リーダを用いてＩＣチップ４１ｂの情報を読み取ることにより不正開放を検出することができるため、目視のみの検出と比較して、何人も不正に開放されたことを容易に検出することができる。
【００８２】
なお、本実施の形態１に係る主制御基板ユニットＵ１は、本体ケース３５ａと蓋ケース３５ｂとがスライド移動することによって開状態と閉状態とを実現するように構成されているが、本体ケース３５ａと蓋ケース３５ｂとがヒンジ部を介して揺動開閉するように構成されてもよい。次いで、変形例に係る主制御基板ユニットＵ２の不正開放検出構造について詳細に説明する。変形例に係る主制御基板ユニットＵ２は、ヒンジ部を介して蓋ケースと本体ケースとが揺動開閉するように構成されている。なお、実施の形態１と同様の構成については説明を省略する。
【００８３】
図１４は、変形例に係る主制御基板ユニットＵ２の断面を模式的に示した図であり、図１５は、図１４に示す部分拡大図である。変形例に係る主制御基板ユニットＵ２は、本体ケース（第１基板ケース）１３５ａの左側部に回転軸部１３５ｄが設けられ、蓋ケース１３５ｂ（第２基板ケース）に回転軸部１３５ｄと係合する回転軸受部１３５ｅが設けられており、蓋ケース１３５ｂが本体ケース１３５ａの回転軸部１３５ｄを中心に回転することにより、開状態及び閉状態とを実現するように構成されている。
【００８４】
主制御基板ユニットＵ２は、主制御基板１３４と、主制御基板１３４を内包する主制御基板ケース１３５と、情報部材としてのシール部材４１と、第１係止部材としての保護カバー１４２と、主制御基板ケース１３５の係合状態を保持すると共に係合状態が解除された際の痕跡を残留させるカシメ部材（結合部材及び痕跡残留部材）１４３と、を有して構成されている。
【００８５】
不正開放検出構造は、主制御基板ユニットＵ２の左側部に設けられている。本体ケース１３５ａには、シール部材４１が貼付される貼付面１３５ｐが設けられている。貼付面１３５ｐは、本体ケース１３５ａの左端部における後面と左側面とに跨っている。貼付面１３５ｐの左側方には、開状態において本体ケース１３５ａに保護カバー１４２を装着するための空間が設けられている。
【００８６】
保護カバー１４２は、シール部材４１が貼付された状態の本体ケース１３５ａに載置されるように構成されている。保護カバー１４２には、蓋ケース１３５ｂに形成された係止凹部１３５ｑに挿入する係止爪部１４２ａと、破壊部としての破壊爪部１４２ｂと、が設けられている。保護カバー１４２が本体ケース１３５ａに載置された状態において、主制御基板ケース１３５が開状態から閉状態となることにより、係止爪部１４２ａが係止凹部１３５ｑに係止して、保護カバー４２と蓋ケース３５ｂとが共に移動するように構成されている。
【００８７】
次いで、このように構成された主制御基板ユニットＵ２による不正開放検出態様について詳細に説明する。図１４（ａ）は、開状態の主制御基板ユニットＵ２を示しており、シール部材４１を本体ケース１３５ａに貼付する前の状態を示している。（ａ）に示す状態において本体ケース１３５ａの貼付面１３５ｐにシール部材４１を貼り付けて、保護カバー１４２を装着すると（ｂ）に示す状態となる。保護カバー１４２を本体ケース１３５ａに装着する際は、シール部材４１と破壊爪部１４２ｂとが接触しないように、シール部材４１と破壊爪部１４２ｂとを離間させた状態で本体ケース１３５ａに保護カバー１４２を装着する。
【００８８】
保護カバー１４２を装着した状態では、シール部材４１は保護カバー１４２によって覆われており、破壊爪部１４２ｂは、シール部材４１が配置された右側に向かって突出している。この状態において蓋ケース１３５ｂを時計回り方向（図示するＸ方向）に回転移動すると、（ｃ）に示すように閉状態となる。この閉状態では、主制御基板ケース１３５内部に収容されたシール部材４１、保護カバー１４２及び主制御基板１３４への外部からのアクセスは不可能である。
【００８９】
閉状態では保護カバー１４２の係止爪部１４２ａが蓋ケース１３５ｂの係止凹部１３５ｑに挿入しており、保護カバー１４２の移動方向（閉状態から開状態となる際の移動方向）においてシール部材４１と破壊爪部１４２ｂとが対向して配置されている。この閉状態においては、破壊爪部１４２ｂとシール部材４１とは接触していない。
【００９０】
閉状態となった後に、主制御基板ケース１３５を開放しようとして蓋ケース１３５ｂを反時計回り方向（図示する−Ｘ方向）に移動すると、蓋ケース１３５ｂと保護カバー１４２とが共に回転移動して、（ｄ）に示す状態となる。保護カバー４２が反時計回り方向に移動することにより、破壊爪部１４２ｂがシール部材４１と接触しつつ移動し、シール部材４１が破壊爪部１４２ｂによって破損又は破壊される。したがって、リーダによるＩＣチップ４１ｂの情報の読み取りが実質的に不可能となる。
【００９１】
このように変形例に係る主制御基板ユニットＵ２によっても、主制御基板１３４への不正アクセスのために主制御基板ケース１３５を閉状態から開状態にしようとすると、シール部材４１が破損又は破壊して、ＩＣチップ４１ｂの情報が読み取り不可能な状態となる。したがって、もし本体ケース１３５ａと蓋ケース１３５ｂとが分離された場合は、シール部材４１が破損又は破壊され、必ずその痕跡が残存するようになっている。更に、リーダを用いてＩＣチップ４１ｂの情報を読み取ることにより不正開放を検出することができるため、目視のみの検出と比較して、何人も不正に開放されたことを容易に検出することができる。
【００９２】
＜実施の形態２＞
本実施の形態１に係る主制御基板ユニットＵ１，Ｕ２は、第１係止部材としての保護カバーを開状態の本体ケースに装着することによって、閉状態から開状態となった際の痕跡を残すことができるように構成されているが、実施の形態２に係る主制御基板ユニットＵ３は、閉状態となった際に蓋ケースに第２係止部材を装着することによって、閉状態から開状態となった際の痕跡を残すことができるように構成されている。以下、図面に基づいて実施の形態２に係る主制御基板ユニットＵ３について説明する。なお、不正開放検出構造以外の構成については、実施の形態１と同様であり、同構成については同符号を用いて説明を省略する。
【００９３】
図１６は、実施の形態２に係る主制御基板ユニットＵ３の不正開放検出構造を模式的に示した分解斜視図である。図１７及び図１８は、主制御基板ユニットＵ３の開閉態様を模式的に示した図である。図１７は、背面図であり、図１８は斜視図である。主制御基板ユニットＵ３は、主制御基板（図示せず）を内包する主制御基板ケース２３５と、情報部材としてのシール部材４１と、第２係止部材としての破壊ネジ部材２４３と、を有して構成されている。
【００９４】
主制御基板ケース２３５は、協働して制御基板を内包する本体ケース２３５ａ及び蓋ケース２３５ｂを有して構成され、本体ケース２３５ａには、シール部材４１が貼付される貼付面２３５ｐが設けられている。貼付面２３５ｐは、本体ケース２３５ａの右端部における後面と右側面とに跨って設けられている。貼付面２３５ｐの左側方は、段差部２３５ｓが形成されており、段差部２３５ｓより左方は貼付面２３５ｐより凹んでおり、破壊部としての破壊ネジ部材２４３が収納される。
【００９５】
また、貼付面２３５ｐには、破壊ネジ部材２４３の移動空間となるスリット部２３５ｎが左右方向に延びて形成されている。スリット部２３５ｎは、貼付面２３５ｐよりも凹んでいる。破壊ネジ部材２４３は、蓋ケース２３５ｂの後面に開口形成されたネジ穴部２３５ｇと螺合するように構成されている。破壊ネジ部材２４３とネジ穴部２３５ｇとが螺合することにより、破壊ネジ部材２４３は、蓋ケース２３５ｂに係止し、蓋ケース２３５ｂと共に移動される。
【００９６】
次いで、このように構成された主制御基板ユニットＵ３における不正開放検出態様について図１７及び図１８に基づいて説明する。（ａ）は、本体ケース２３５ａにシール部材４１を貼付する前の状態を示している。（ａ）に示す状態においてシール部材４１を本体ケース２３５ａの貼付面２３５ｐに貼り付けると、（ｂ）に示す状態となる。シール部材４１を本体ケース２３５ａに貼り付けた状態では、シール部材４１によってスリット部２３５ｎが覆われている。しかし、スリット部２３５ｎは、貼付面２３５ｐより凹んでいるため、シール部材４１とは接触しておらず、スリット部２３５ｎと対向する位置においてシール部材４１は、本体ケース２３５ａと接触せずに本体ケ―ス３５ａに対して浮いている。
【００９７】
（ｂ）に示す状態において蓋ケース２３５ｂをスライド移動すると（ｃ）に示す状態となり、蓋ケース２３５ｂによって本体ケース２３５ａが覆われる。次いで、破壊ネジ部材２４３を蓋ケース２３５ｂのネジ穴部２３５ｇに挿入して螺合すると、破壊ネジ部材２４３が蓋ケース２３５ｂに係止して閉状態となる。破壊ネジ部材２４３は、ワンウェイネジであり、蓋ケース２３５ｂと一旦螺合すると外れないように構成されている。
【００９８】
閉状態では、本体ケース２３５ａと蓋ケース２３５ｂの内部に収容されたシール部材４１、保護カバー４２及び主制御基板へのアクセスが不可能である。図２０（ａ）は、図１８（ｄ）に示すＥ−Ｅ断面図である。閉状態では、破壊ネジ部材２４３が貼付面２３５ｐの左方において蓋ケース２３５ｂに係止しており、破壊ネジ部材２４３とシール部材４１とは接触していない。
【００９９】
閉状態となった後に、主制御基板ケース２３５を開放しようとして蓋ケース２３５ｂを右方向に移動すると、蓋ケース２３５ｂと破壊ネジ部材２４３とが共に右方向に移動して、（ｅ）に示す状態となる。また、図２０（ｂ）は、図１８（ｅ）に示すＦ−Ｆ断面図である。蓋ケース２３５ｂが右方向に移動することにより、破壊ネジ部材２４３がシール部材４１と接触しつつスリット部２３５ｎ内を右方向に移動し、シール部材４１が破壊ネジ部材２４３によって破損又は破壊される。したがって、リーダによるシール部材４１の情報の読み取りが実質的に不可能となる。
【０１００】
以上のように、実施の形態２に係る主制御基板ユニットＵ３によっても、主制御基板３４への不正アクセスのために主制御基板ケース２３５を閉状態から開状態にしようとすると、シール部材４１のアンテナ部４１ｃが破損又は破壊して、ＩＣチップ４１ｂの情報を読み取り不可能な状態となる。したがって、もし本体ケース２３５ａと蓋ケース２３５ｂとが分離された場合は、シール部材４１のアンテナ部４１ｃが破損又は破壊され、必ずその痕跡が残存するようになっている。更に、リーダを用いてＩＣチップ４１ｂの情報を読み取ることにより不正開放を検出することができるため、目視のみの検出と比較して、何人も不正に開放されたことを容易に検出することができる。
【０１０１】
＜実施の形態３＞
実施の形態３に係る主制御基板ユニットＵ４は、第１係止部材及び第２係止部材を備えず、蓋ケースに破壊部が設けられている。以下、図面に基づいて実施の形態３に係る主制御基板ユニットＵ４について説明する。なお、主制御基板ユニットＵ４は、不正開放検出構造以外は、実施の形態１と同様であり、同構成については同符号を用いて説明を省略する。
【０１０２】
図２０は、実施の形態３に係る主制御基板ユニットＵ４の不正開放検出構造を模式的に示した分解斜視図である。図２１は、主制御基板ユニットＵ４の開閉態様を模式的に示しており、後述するスリット部の中心を通って前後左右に延びる面において切断した断面図である。主制御基板ユニットＵ３は、主制御基板（図示せず）を内包する主制御基板ケース３３５と、情報部材としてのシール部材４１と、を有している。
【０１０３】
主制御基板ケース３３５は、協働して主制御基板を内包する本体ケース３３５ａ及び蓋ケース３３５ｂを有して構成され、本体ケース３３５ａには、シール部材４１が貼付される貼付面３３５ｐが設けられ、蓋ケース３３５ｂには破壊部としての破壊爪部３３５ｃが形成されている。貼付面３３５ｐは、本体ケース３３５ａの右端部における後面と右側面とに跨って設けられており、後面の貼付面３３５ｐの上端と下端には、後方に突出した傾斜リブ３３５ｄが形成されている。傾斜リブ３３５ｄは、左方に向かって高くなる傾斜面を有している。また、後面の貼付面３３５ｐには、破壊爪部３３５ｃの移動空間となるスリット部３３５ｎが形成されている。スリット部３３５ｎは、貼付面３３５ｐよりも凹んで形成されている。
【０１０４】
蓋ケース３３５ｂの内側には、蓋ケース３３５ｂの後面と略平行に配置されたプレート部３３５ｅが設けられている。プレート部３３５ｅは、蓋ケース３３５ｂの右側面の内壁面に固定されており、右端部を中心に前後方向に湾曲可能（弾性変形可能）である。プレート部３３５ｅの左端部には、後方に突出した破壊爪部３３５ｃが３箇所設けられている。上端と下端に位置する破壊爪部３３５ｃは、傾斜リブ３３５ｄと当接するように設けられており、中央に位置する破壊爪部３３５ｃは、シール部材４１と接触して、シール部材４１を破壊するように構成されている。
【０１０５】
次いで、このように構成された主制御基板ユニットＵ４における不正開放検出態様について説明する。図２１（ａ）は、本体ケース３３５ａにシール部材４１を貼付した状態を示している。シール部材４１を本体ケース３３５ａに貼付した状態では、スリット部３３５ｎはシール部材４１によって覆われている。しかし、スリット部３３５ｎは、貼付面３３５ｐよりも凹んでいるため、シール部材４１とは接触しておらず、スリット部３３５ｎと対向する位置においてシール部材４１は、本体ケース３３５ａと接触せずに本体ケ―ス３３５ａに対して浮いている。
【０１０６】
（ａ）に示す状態において蓋ケース３３５ｂを左方向に移動すると、破壊爪部３３５ｃと傾斜リブ３３５ｄとが当接して（ｂ）に示す状態となる。更に左方に蓋ケース３３５ｂを移動すると、（ｃ）に示すように破壊爪部３３５ｃが傾斜リブ３３５ｄに沿って左方に移動する。傾斜リブ３３５ｄによって破壊爪部３３５ｃが押圧されるため、プレート部３３５ｅ及び破壊爪部３３５ｃがシール部材４１から離間するＰ方向にプレート部３３５ｅが弾性変形する。プレート部３３５ｅが弾性変形した状態で破壊爪部３３５ｃが傾斜リブ３３５ｄに沿って移動することにより、破壊爪部３３５ｃとシール部材４１を接触させずに閉状態とすることができる。
【０１０７】
蓋ケース３３５ｂの右側壁の内面と本体ケース３３５ａの右側壁の外面とが当接するまで蓋ケース３３５ｂを左方向に移動した後（（ｄ）参照）、蓋ケース３３５ｂを下方向に移動することにより、上端と下端の破壊爪部３３５ｃが傾斜リブ３３５ｄの上方から側方に移動して、プレート部３３５ｅの弾性変形が解除される。プレート部３３５ｅの弾性変形が解除されることにより、破壊爪部３３５ｃがシール部材４１に近づくようにＱ方向に移動する。（ｅ）は、プレート部３３５ｅの弾性変形が解除された状態であり、本体ケース３３５ａと蓋ケース３３５ｂとによって主制御基板を内包した閉状態である。
【０１０８】
閉状態となった後に、主制御基板ケース３３５を開放しようとして蓋ケース３３５ｂを右方向に移動すると破壊爪部３３５ｃは、シール部材４１と接触しつつスリット部３３５ｎ内を右方向に移動して、シール部材４１が破壊爪部３３５ｃによって破損又は破壊される。したがって、リーダによるシール部材４１の情報の読み取りが実質的に不可能となる。
【０１０９】
以上のように実施の形態３に係る主制御基板ユニットＵ４によっても、主制御基板への不正アクセスのために主制御基板ケース３３５を閉状態から開状態にしようとすると、シール部材４１が破損又は破壊して、ＩＣチップ４１ｂの情報が読み取り不可能な状態となる。したがって、もし本体ケース３３５ａと蓋ケース３３５ｂとが分離された場合は、シール部材４１が破損又は破壊され、必ずその痕跡が残存するようになっている。更に、リーダを用いてＩＣチップ４１ｂの情報を読み取ることにより不正開放を検出することができるため、目視のみの検出と比較して、何人も不正に開放されたことを容易に検出することができる。
【符号の説明】
【０１１０】
Ｕ１，Ｕ２，Ｕ３，Ｕ４：主制御基板ユニット（電子基板ユニット）
２：パチンコ機（遊技機）
３：遊技機枠
４：外枠
５：遊技盤ユニット
６：遊技盤（遊技装置体）
６ａ：遊技盤面
７：センター役物
７ａ：演出表示装置
７ｂ：表示部
７ｃ：第１装飾図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３４：主制御基板（電子基板）
３４ａ：固定穴
３４ｂ：電子部品
３５：主制御基板ケース
３５ａ：本体ケース（第１基板ケース）
３５ｂ：蓋ケース（第２基板ケース）
３５ｄ：スライド軸部
３５ｅ：スライド軸受部
３５ｆ：本体カシメ穴部（結合部材・痕跡残留穴部）
３５ｈ：連結部材
３５ｋ：蓋カシメ穴部（結合部材・痕跡残留穴部）
３５ｍ：封止片（結合部材・痕跡残留穴部） 
３５ｎ：スリット部
３５ｐ：貼付面
３５ｑ：係止凹部
３５ｒ：破壊爪収納部
３５ｓ：ガイド凹部
３６：演出制御基板ケース
３７：払出制御基板ケース
３８：電源基板ケース
３９：外部出力端子板
４１：シール部材（情報部材）
４１ａ：シリアル番号
４１ｂ：ＩＣチップ（情報部）
４１ｃ：アンテナ部（情報部）
４１ｄ：切り欠き部
４２：保護カバー（第１係止部材）
４２ａ：係止爪部
４２ｂ：破壊爪部（破壊部）
４２ｔ：ガイド凸部
１３４：主制御基板
１３５：主制御基板ケース
１３５ａ：本体ケース（第１基板ケース）
１３５ｂ：蓋ケース（第２基板ケース）
１３５ｄ：回転軸部
１３５ｅ：回転軸受部
１３５ｐ：貼付面
１３５ｑ：係止凹部
１４２：保護カバー（第１係止部材）
１４２ａ：係止爪部
１４２ｂ：破壊爪部（破壊部）
１４３：カシメ部材（結合部材・痕跡残留穴部）
２３５：主制御基板ケース
２３５ａ：本体ケース（第１基板ケース）
２３５ｂ：蓋ケース（第２基板ケース）
２３５ｇ：ネジ穴部
２３５ｎ：スリット部
２３５ｐ：貼付面
２３５ｓ：段差部
２４３：破壊ネジ部材（第２係止部材）
３３５：主制御基板ケース
３３５ａ：本体ケース（第１基板ケース）
３３５ｂ：蓋ケース（第２基板ケース）
３３５ｃ：破壊爪部（破壊部）
３３５ｄ：傾斜リブ
３３５ｅ：プレート部
３３５ｎ：スリット部
３３５ｐ：貼付面
【図１】
2011156097.tif 000003
【図２】
2011156097.tif 000004
【図３】
2011156097.tif 000005
【図４】
2011156097.tif 000006
【図５】
2011156097.tif 000007
【図６】
2011156097.tif 000008
【図７】
2011156097.tif 000009
【図８】
2011156097.tif 000010
【図９】
2011156097.tif 000011
【図１０】
2011156097.tif 000012
【図１１】
2011156097.tif 000013
【図１２】
2011156097.tif 000014
【図１３】
2011156097.tif 000015
【図１４】
2011156097.tif 000016
【図１５】
2011156097.tif 000017
【図１６】
2011156097.tif 000018
【図１７】
2011156097.tif 000019
【図１８】
2011156097.tif 000020
【図１９】
2011156097.tif 000021
【図２０】
2011156097.tif 000022
【図２１】
2011156097.tif 000023